(57)【要約】【課題】  冷却室の全体を均一に気化冷却することのできる気化冷却装置を提供すること。【解決手段】  反応釜１の外周にジャケット部２を取り付ける。ジャケット部２内に冷却流体管路６を配置する。冷却流体管路６の反応釜１側に、反応釜１の外表面へ冷却流体を噴射する複数の冷却流体噴射ノズル２５を取り付ける。ノズル２５を冷却流体噴霧口２９と境界部冷却流体噴射口２７，２８とで構成する。  反応釜１を冷却する場合は、冷却流体噴射ノズル２５からジャケット部２内へ冷却流体を噴射することによって、反応釜１の外表面の全体にムラなく冷却流体を供給して、反応釜１の全体を均一に気化冷却することができる。【選択図】  図２
2008261593.tif 000002
【特許請求の範囲】
【請求項１】
被冷却物を冷却する冷却室を形成して、当該冷却室の外壁面の接線方向に冷却流体を供給する冷却流体供給管を接続すると共に、冷却室を吸引手段と接続したものにおいて、冷却流体供給管の冷却室側端部に冷却流体を噴射する複数のノズルを取り付けて、当該ノズルを少なくとも２個の冷却流体噴射口で形成すると共に、一方の冷却流体噴射口を冷却室の外壁面の接線方向に冷却流体を噴霧する冷却流体噴霧口とし、他方の冷却流体噴射口を上記複数の冷却流体噴霧口から噴霧される冷却流体の境界部へ冷却流体を供給する境界部冷却流体噴射口としたことを特徴とする気化冷却装置。
【発明の詳細な説明】
【技術分野】
【０００１】
本発明は、冷却流体の蒸発潜熱によって冷却室で被冷却物を冷却する気化冷却装置に関する。
【背景技術】
【０００２】
気化冷却装置は、気化冷却室に冷却流体管路を接続すると共に、冷却室を吸引手段と接続したもので、冷却物を冷却流体の蒸発潜熱でもって気化冷却することができるものである。
【０００３】
この気化冷却装置においては、気化冷却室へ供給される冷却流体が、気化冷却室の外表面の全体にムラなく付着することができず、気化冷却室の全体を均一に気化冷却することができない問題があった。
【特許文献１】実公平５−３７１８１号公報
【発明の開示】
【発明が解決しようとする課題】
【０００４】
解決しようとする課題は、気化冷却室の外表面の全体にムラなく冷却流体を供給することによって、気化冷却室の全体を均一に気化冷却することのできる気化冷却装置を提供することである。
【課題を解決するための手段】
【０００５】
本発明は、被冷却物を冷却する冷却室を形成して、当該冷却室の外壁面の接線方向に冷却流体を供給する冷却流体供給管を接続すると共に、冷却室を吸引手段と接続したものにおいて、冷却流体供給管の冷却室側端部に冷却流体を噴射する複数のノズルを取り付けて、当該ノズルを少なくとも２個の冷却流体噴射口で形成すると共に、一方の冷却流体噴射口を冷却室の外壁面の接線方向に冷却流体を噴霧する冷却流体噴霧口とし、他方の冷却流体噴射口を上記複数の冷却流体噴霧口から噴霧される冷却流体の境界部へ冷却流体を供給する境界部冷却流体噴射口としたものである。
【発明の効果】
【０００６】
本発明の気化冷却装置は、冷却流体噴射ノズルに冷却流体噴霧口と境界部冷却流体噴射口とを形成したことによって、冷却流体噴霧口から供給した冷却流体の境界部、すなわち、冷却流体噴霧口から冷却流体の行き届かない境界部へ、境界部冷却流体噴射口から冷却流体を供給することができ、冷却室の外表面の全体にムラなく冷却流体を供給することが可能となって、冷却室の全体を均一に気化冷却することができる。
【発明を実施するための最良の形態】
【０００７】
本発明は、冷却流体噴射ノズルに冷却流体噴霧口と境界部冷却流体噴射口とを形成するものであるが、１個のノズルに冷却流体噴霧口と境界部冷却流体噴射口を一体に形成することも、あるいは、別体の冷却流体噴霧口と境界部冷却流体噴射口を組み合わせて１個のノズルとすることもできる。
【実施例１】
【０００８】
本実施例においては、冷却室として反応釜１のジャケット部２を用いた例を示す。反応釜１の内部に入れた図示しない被冷却物を、ジャケット部２に供給する冷却源としての冷却流体によって冷却するものである。
【０００９】
反応釜１のほぼ全周にわたりジャケット部２を形成して、このジャケット部２に吸引手段としての組み合わせ真空ポンプ４と、冷却流体供給管５を接続する。冷却流体供給管５には、熱交換部としてのエゼクタ１８を介在して、ジャケット部２内に配置した冷却流体管路６と接続する。
【００１０】
エゼクタ１８は、ジャケット部２に極力接近した位置に配置すると共に、エゼクタ１８の吸引口には加熱用の蒸気供給管１９を接続する。冷却流体供給管５から供給される冷却流体と、蒸気供給管１９から供給される加熱用の蒸気とが、エゼクタ１８内で混合され所定温度に制御されて、冷却流体管路６へと供給される。
【００１１】
エゼクタ１８をジャケット部２の近傍に配置したことによって、エゼクタ１８で所定温度に制御された冷却流体の温度が変化するまでに、冷却流体を冷却流体管路６へ供給することができ、ジャケット部２内へ温度精度良くコントロールされた冷却流体を供給することができる。
【００１２】
ジャケット部２内に配置した冷却流体管路６の端部は図２に示すようにノズル２５として、当該ノズル２５を３個の冷却流体噴射口２７，２８，２９で形成し、冷却流体噴射口２９を反応釜１の外壁面の接線方向に冷却流体を噴霧する冷却流体噴霧口２９とし、冷却流体噴射口２７，２８を境界部冷却流体噴射口２７，２８とする。
【００１３】
冷却流体噴霧口２９からは、図２において直線３０で示すように冷却流体が噴射され、一方、境界部冷却流体噴射口２７，２８からは、直線３１，３２で示すように冷却流体が噴射される。なお、図２は冷却流体の供給を模擬的に示したものであり、反応釜１外表面の領域３３，３４部分に冷却流体噴霧口２９から冷却流体が供給され、一方、領域３５，３６部分に境界部冷却流体噴射口２７，２８から冷却流体が供給される状態を示す。
【００１４】
図１において、冷却流体供給管５の下方部は、組み合わせ真空ポンプ４の循環路１５の一部と接続すると共に、上方部を冷却流体管路６の一端部と接続する。冷却流体管路６は、ジャケット部２内に螺旋状に配置して、図２に示すとおりに冷却流体管路６の反応釜１側に複数の冷却流体噴射ノズル２５を取り付ける。
【００１５】
本実施例においては、ジャケット部２の左側上部に流量調節弁７を介在した蒸気供給管８を接続する。この蒸気供給管８から、所定圧力すなわち所定温度の加熱用蒸気を、ジャケット部２へ供給することによって、反応釜１内の被加熱物を加熱することもできるものである。
【００１６】
ジャケット部２の右側下方に排出管９を接続して、組み合わせ真空ポンプ４のエゼクタ１０と接続する。排出管９には、開閉弁１１と気液分離器１２をそれぞれ取り付ける。気液分離器１２は、排出管９から流下してくる蒸気と液体をそれぞれ分離することができるものであり、分離された蒸気は蒸気エゼクタ３へ吸引され、一方、分離された液体は管路２０を通って下方のエゼクタ１０へ吸引される。
【００１７】
蒸気エゼクタ３は、蒸気供給管８を分岐した分岐管２１に入口側を接続し、出口側を管路２２によって再度、蒸気供給管８の流量調節弁７の手前側に接続したもので、排出管９から流下してくるジャケット部２内の一部の蒸気を、蒸気エゼクタ３で吸引して再度、蒸気供給管８からジャケット部２へ供給することによって、ジャケット部２内の加熱用蒸気を強制的に循環させることができるものである。
【００１８】
組み合わせ真空ポンプ４を、エゼクタ１０とタンク１３と循環ポンプ１４を順次に循環路１５で連通して形成する。タンク１３の上部には、冷却流体としての冷却水を補給する冷却水補給管１６を接続する。循環路１５の一部を分岐して余剰水排出管１７と、上述した冷却流体供給管５をそれぞれ接続する。冷却流体供給管５は、組み合わせ真空ポンプ４を循環する循環流体の一部を、ジャケット部２の冷却流体管路６へ供給することによって、反応釜１を気化冷却することができるものである。
【００１９】
ジャケット部２の左側面に、管路２３と開閉弁２４を介在して組み合わせ真空ポンプ４のエゼクタ１０と接続する。この管路２３は、ジャケット部２内で発生した冷却流体の気化蒸気をエゼクタ１０へ吸引するためのものである。
【００２０】
反応釜１内の被冷却物を冷却する場合は、冷却流体供給管５及びエゼクタ１８から所定温度に制御された冷却流体を冷却流体管路６内へ供給して、冷却流体管路６内を冷却流体で満たすと同時に、冷却流体管路６の反応釜１側に設けた複数の冷却流体噴射ノズル２５から反応釜１の外表面へ冷却流体を噴射する。噴射された冷却流体は、冷却流体噴霧口２９から反応釜１の外壁面の接線方向に噴霧され領域３３へ供給されると同時に、境界部冷却流体噴射口２７，２８から領域３５，３６へ供給されることによって、反応釜１の外表面の全体にムラなく供給される。
【００２１】
一方、図１における、組み合わせ真空ポンプ４の循環ポンプ１４を駆動して、エゼクタ１０の発生する吸引力で排出管９または管路２３を介してジャケット部２内を所定の圧力状態、例えば、大気圧以下の真空状態、とすることにより、反応釜１の外表面へ噴射される冷却流体が反応釜１内の被冷却物の熱を奪って蒸発気化することにより、その蒸発潜熱によって被冷却物を気化冷却することができる。
【００２２】
このように反応釜１を冷却する場合に、冷却流体管路６の冷却流体噴射ノズル２５から反応釜１の外表面の全体にムラなく冷却流体が供給されることによって、反応釜１の全体を均一に気化冷却することができる。
【００２３】
ジャケット部２で被冷却物を冷却した冷却流体の気化蒸気及び気化しきれなかった冷却流体の一部は、排出管９または管路２３を通ってエゼクタ１０に吸引されタンク１３に至る。
【００２４】
エゼクタ１０で発生することのできる吸引力は、エゼクタ１０を流下する流体の温度によって決まるために、冷却水補給管１６から適宜所定温度の冷却水をタンク１３へ補給することによって、エゼクタ１０を流下する流体温度を調節して、エゼクタ１０の吸引力をコントロールすることができる。
【図面の簡単な説明】
【００２５】
【図１】本発明の気化冷却装置の実施例を示す構成図。
【図２】図１における反応釜１外表面の模式図。
【符号の説明】
【００２６】
１  反応釜
２  ジャケット部
４  吸引手段
５  冷却流体供給管
６  冷却流体管路
９  排出管
１０  エゼクタ
１３  タンク
１４  循環ポンプ
１５  循環路
２５  ノズル
２７，２８  境界部冷却流体噴射口
２９  冷却流体噴霧口
【図１】
2008261593.tif 000003
【図２】
2008261593.tif 000004